(57)【要約】【課題】  カビ生長を抑制する優れた空調装置を提供する。【解決手段】  空調装置内の送風ファン近傍の温度を検知する温度検知手段と、送風ファンおよび装置内壁を加熱する加熱手段と、前記加熱手段の加熱制御からの経過時間をカウントするタイマー手段とを備え、前記タイマー手段により所定の時間に所定の時間間隔で前記加熱手段により加熱制御を行うことを特徴とする空調装置。【選択図】  図１
2005061741.tif 000002
【特許請求の範囲】
【請求項１】
空調装置内の送風ファン近傍の温度を検知する温度検知手段と、送風ファンおよび装置内壁を加熱する加熱手段と、前記加熱手段の加熱制御からの経過時間をカウントするタイマー手段とを備え、前記タイマー手段により所定の時間に所定の時間間隔で前記加熱手段により加熱制御を行うことを特徴とする空調装置。
【請求項２】
前記加熱手段で加熱制御する際に空調装置吹出しルーバを閉じるように変えるルーバ駆動手段とを備えたことを特徴とする請求項１記載の空調装置。
【請求項３】
空調装置の吸いこみ部および吹出し部に開閉可能な窓を設け、前記加熱手段で加熱制御する際にこの開閉可能な窓を閉鎖するように変える窓閉鎖手段とを備えたことを特徴とする請求項１記載の空調装置。
【請求項４】
前記加熱手段で加熱制御後に空調装置内の空気を外へ排出する排気手段を備えたことを特徴とする請求項１記載の空調装置。
【請求項５】
前記空調装置内の加熱手段が送風ファン内部に設置されてなることを特徴とする請求項１記載の空調装置。
【請求項６】
前記加熱手段が輻射光発生手段であることを特徴とする請求項１記載の空調装置。
【請求項７】
前記加熱手段が送風ファンよりも低い位置に設置されてなることを特徴とする請求項１記載の空調装置。
【発明の詳細な説明】
【技術分野】
【０００１】
本発明は、カビの生長防止の機能を有する空調装置に関する。
【背景技術】
【０００２】
空調装置内のカビの生長防止としては、エアコンのフィルタや熱交換器、送風ファンなどに銀や銅の化合物などの抗カビ処理をするのが一般的である。しかしながらこのような抗カビ処理をした空調装置であっても長期間使用してほこりが堆積した場合にはほこりの上にカビなどが繁殖してしまい下地の抗カビ処理の効果がみられないこともあった。そのため気相中のカビに直接作用するような抗カビ機構が開発されている。
【０００３】
人体に有害なオゾン濃度を下げながら負イオンを発生させる微生物繁殖防止機構を冷凍・空調装置に組み込んでいる。この場合、空気中の気体をイオン化する電離室とイオン化された気体に含まれるオゾンを除去するオゾン分解室ともつような微生物繁殖防止機構冷却ユニットの送風機の吹き出し口に配置している（例えば特許文献１参照）。
【０００４】
また、一定時間冷房運転を実施したのちに暖房運転を実施しその際にショートサーキット運転をして吹き出し気流を吸いこませることで空気調和機本体を乾燥させている（例えば特許文献２）。さらに空調装置にショートサーキット流路を設け、必要に応じて高温空気をショートサーキットさせて空調装置内を殺菌するものである（例えば特許文献３）。
【特許文献１】特開平９−１１９６５７号公報
【特許文献２】特公平７−６９０６８号公報
【特許文献３】特開平５−１４１６９２号公報
【発明の開示】
【発明が解決しようとする課題】
【０００５】
しかしながら、このようなオゾンを発生させるような微生物繁殖防止機構は装置が複雑であり一定の大きさを必要とするため既存の空調装置に組み込むことは不可能であるという課題を有していた。また、気相で抗カビ効果を有するものはホコリ上に堆積したカビに有効であるが抗カビ成分を多孔質媒体に坦持させる必要があるため抗カビ剤の小型化や長寿命化が困難であった。また、空調装置の乾燥運転実施の場合、送風のみでは空調装置内を湿度低下させることは困難である。そのため空調装置内は高温高湿雰囲気が保たれてしまい防カビ効果がほとんど見られない。空調装置の乾燥運転の際に暖房運転を実施してもその頻度が少ない場合、防カビの効果が少なくすぐにカビの生長が始まってしまうことがあった。また夏場の冷房運転時は室外雰囲気温度が高いため暖房運転をおこなうと圧縮機が過負荷運転となり圧縮機の長期信頼性を損なうおそれがあった。なお空調装置内を殺菌しようとすれば空気装置本体を80℃以上の高温に保持せねばならず、空調装置内の樹脂部品を高温に耐える材料に変更する必要があった。
【０００６】
本願発明は、カビ生長を効果的に抑制する空調装置を提供することを目的とする。
【課題を解決するための手段】
【０００７】
請求項１記載の本発明の空調装置は、空調装置内の送風ファン近傍の温度を検知する温度検知手段と、送風ファンおよび装置内壁を加熱する加熱手段と、前記加熱手段の加熱制御からの経過時間をカウントするタイマー手段とを備え、前記タイマー手段により所定の
時間に所定の時間間隔で前記加熱手段により加熱制御を行うことを特徴とする。
【０００８】
請求項２記載の本発明の空調装置は、前記加熱手段で加熱制御する際に空調機吹出しルーバを閉じるように変えるルーバ駆動手段とを備えたことを特徴とする。
【０００９】
請求項３記載の本発明の空調装置は、空調装置の吸いこみ部および吹出し部に開閉可能な窓を設け、前記加熱手段で加熱制御する際にこの開閉可能な窓を閉鎖するように変える窓閉鎖手段とを備えたことを特徴とする。
【００１０】
請求項４記載の本発明の空調装置は、前記加熱手段で加熱制御後に空調装置内空気を外へ排出する排気手段を備えたことを特徴とする。
【００１１】
請求項５記載の本発明の空調装置は、前記空調装置内の加熱手段が送風ファン内部に設置されてなる。
【００１２】
請求項６記載の本発明の空調装置は、前記加熱手段が輻射光発生手段であることを特徴とする。
【００１３】
請求項７記載の本発明の空調装置は、前記加熱手段が送風ファンよりも低い位置に設置されてなることを特徴とする
【発明の効果】
【００１４】
上記実施例から明らかなように、所定の時間に所定の時間間隔で送風ファンおよび装置内壁に付着したカビの胞子や菌糸に繰り返しわずかな熱ダメージを与え生長を効果的に抑制することができるようになった。その結果送風ファンやその近傍にカビのコロニーが形成されることがないので、カビの繁殖による臭いを低減した空調装置を提供できる。
【００１５】
また、加熱の際に空調装置吹出しルーバを閉じるように変えたので、送風ファン近傍を短時間で所定の温度に到達させることができるようになった。その結果、より効果的に加熱によりカビの繁殖を抑制することができ、加熱時に温風が空調装置から室内へ放出されないので使用者の不快感を低減できる。
【００１６】
また、吸いこみ部および吹出し部に開閉可能な窓を設けたので送風ファンを加熱する際にこの窓を閉鎖することができるようになり、送風ファン近傍を短時間で所定の温度に到達させることができるようになった。その結果、より効果的に加熱でカビの繁殖を抑制することができ、防カビ制御運転の消費電力を減らすことができる。
【００１７】
また、加熱後に空調装置内空気を外へ排出する排出手段を備えているので防カビ運転の送風ファン近傍加熱後に空調装置から暖かい空気が放出されないので防カビ運転時の不快感を軽減することができる。
【００１８】
また、加熱手段が送風ファン内部に設置されているので、効率的に送風ファン上のカビの生長を抑制することができる。
【００１９】
また、熱手段が輻射光発生手段なので効率的に送風ファンを加熱することができるため送風ファン上のカビの生長を抑制することができる。
【００２０】
また、加熱手段が送風ファンよりも低い位置にあるので加熱された空気が対流により送風ファン近傍に運ばれる。そのため送風ファン近傍を効率的に加熱することができる。
【００２１】
なお、実施例では壁掛け型セパレートタイプおよび天井ビルトインタイプの空調装置について詳細に述べたが本発明はそれに限定されるわけではなく、一体型ウインドウエアコン、カーエアコンなど冷房で使用し空調装置内部の湿度が上昇するような空調装置全般に適用可能である。また送風ファンについてもクロスフローファンだけの説明をしたが、シロッコファン、プロペラファン、ターボファンなど公知のファンを用いることができる。
【発明を実施するための最良の形態】
【００２２】
図１は本発明によるカビ生長を抑制するための空調装置の一実施例の室内機断面図である。以下図１を参照しながら本発明を説明する。室内機を通る空気の流れは、送風ファン１により起こされ、室内機前方または上方の吸入グリル２から入り、熱交換器３、送風ファン１、吹き出しルーバ４を通って室内機外へ出て行く。
【００２３】
空調装置の室内機内は熱交換器３部分で結露するため、冷房または除湿運転期間中の室内機内は湿度が高くカビの生長が問題になる。カビの胞子は通常１００μｍ以下で空気中に浮遊している。空調装置の室内機に空気と共に吸入されたカビ胞子は室内機内部に静電気またはオイルミスト等の汚れと共に付着する。室内機内の冷房または除湿期間中の相対湿度は運転中でほぼ１００％、停止中でも９０％以上を長時間保っている。カビの生長速度は温度や湿度により大きく変化する。一般に温度としては２０℃〜３０℃、湿度は７０％以上で高いほうがカビの生長速度は速い。そのため室内機内ではカビの胞子の発芽、菌糸の生長、胞子の再生産が起こり室内機内がカビ汚染される。カビ汚染の最もひどい部分は送風ファン１の湿度の高くなりやすい部分である。送風ファン１はクロスフローファンを使用しており送風ファン１上でカビが生長するとそのブレード間で生長を重ねついにはファンのブレード間を塞ぎ、空調装置から風がでないようになってしまうこともある。空調装置内で生長しやすいカビは通常の室内に広く存在する好湿性のカビ、たとえばCladosporiumやAltanaria、Aspergillusなどである。本発明は、これらの空調装置内で生長しやすいカビに対して有効である。
【００２４】
図１において温度センサー５は送風ファン１の近傍の空調機器壁表面に設置されている。送風ファンは運転中常にブレードが風と衝突しているため、ブレード端面にカビ胞子が付着しカビコロニーを形成しやすい。本発明の温度センサー５はこのカビ胞子が付着しやすい送風ファン周辺の温度をコントロールしてカビ生長を抑制するのに用いる。温度センサー５は室温から５０℃程度までの温度を検出できるものであればサーモスタットや温度ヒューズなどどのようなものでも構わない。なお、温度センサーは1箇所でも構わないが温度分布が存在する場合も考慮して送風ファン近傍で２箇所以上設置しても構わない。  この温度センサー５は所定の温度に所定時間保つように加熱手段６を制御するのに用いられる。カビの生長を抑制するためには最低でも４０℃で１０分間の加熱が必要になる。温度の上限は樹脂の劣化しない温度であり、ポリスチレン樹脂を空調装置の筐体に用いた場合では８０℃以下に保つのが好ましい。
【００２５】
加熱手段６は送風ファン１を加熱できるのであれば、どのような位置にあっても構わないが加熱空気は比重が軽くなって上方へ移動するため、送風ファンよりも低い位置に設置するのが好ましい。図１の実施例では吹出し出口の近傍に設置してあるがこの位置にこだわるものではない。加熱手段６は送風ファン１および近傍の空気を加熱する必要がある。そのため送風ファンがクロスフローファンのように細長い場合は加熱手段もそれに合わせて長くするのが好ましい。本実施例ではクオーツヒータを用いているが加熱手段は特に限定しない。ニクロム線、クオーツヒータ等公知のものを用いることができる。カーボンランプヒータのように輻射により送風ファンの温度を上昇させるものはすばやく温度上昇させることができ防カビ運転を短時間で済ませることができるために好ましい。また、カーボンランプヒータのような輻射を用いる場合、クロスフローファンや装置内壁は黒色にした方が、効率的に熱を吸収することができるために好ましい。
【００２６】
加熱手段６により送風ファン１を加熱するタイミングと加熱保持時間はタイマー７によってコントロールされる。発明者らは空調機内に発生しやすいカビについて毎日１回４０℃以上で加熱することによりカビの生長を抑制することができるということを見出した。そのためタイマー７は１日１回１０分間加熱手段が通電されるようにセットされている。1日のうち何時に防カビ制御がスタートするかは使用者により決定される。在室者が少ない時に防カビ制御がスタートするように設定することで空調機から漏洩してくる加熱空気による不快感を極力減らすのが望ましい。
【００２７】
また、送風ファン１を停止した状態で加熱しても回転させた状態で加熱してもどちらでも構わない。回転させる場合は暖かい風が室内に拡散しないように吹出しルーバ４を吸いこみ方向に少しだけ開けて空調装置内を通る風がショートカットして循環するようにしても構わない。しかしより効率的に送風ファン１を加熱するために送風ファンを加熱する際に吹出しルーバ４を閉じるようなルーバ駆動手段（図示せず）を備えている。
【００２８】
次に本発明の別の実施例を図２に示す。これは天井ビルトインタイプの空調装置の室内側前面パネル上に本発明の防カビ手段を設置した一実施例の断面図である。図２を参照しながら本発明を説明をする。図１の壁掛け型室内機と同様に天井ビルトインタイプの室内機を通る空気の流れは、送風ファン１により起こされ、吸入グリル２から入り、熱交換器３、送風ファン１、吹き出しルーバ４を通って室内機外へ出て行く。図２では室内機の室内側パネルのさらに室内側に防カビ手段８を設置している。防カビ手段８は図３に示すように下方に開閉可能な窓９を設けている。この窓はすべての窓が連動して開閉できるようにモータと開閉機構（図示せず）を備えている。また、加熱イベントが起こった時点で閉じ、加熱している間は閉じつづける制御になっている。この窓９を防カビ運転中に閉じることで室内機内は効率よく加熱される。この防カビ手段８内には加熱手段６とタイマー７が設置されていて所定の時間に所定の間隔だけ加熱できるように加熱手段６とタイマー７が制御手段（図示せず）を通して接続されている。さらに温度センサー５が送風ファン１の近傍の空調機器壁表面に設置され、加熱手段６と制御手段を通して接続されており、加熱時に送風ファン近傍の温度が４０℃から８０℃に保っている。
【００２９】
なお防カビ手段８は天井ビルトイン型室内機とは公知の方法で固定することができる。たとえば前面グリルと天井の隙間に防カビ手段８の天板を差し込むことで容易に固定および脱着することができる。またこの防カビ手段８の中に電気集塵ユニットを設置して集塵性能を持たせることもできる。電気集塵ユニットを付加することで空調装置の中にカビの胞子が侵入する前に集塵するとともに集塵できなかったカビについては防カビ手段によりカビの生長を押さえることができる。このようにして従来にはない高効率にカビを制御した空調装置を提供することができる。
【００３０】
また図２に示した空調装置には排気手段１０が接続されており、空調装置内の空気を室外へ送ることができる。排気手段１０は排気口と風路切替え器（図示せず）により構成されている。また排気手段は家全体の換気装置にダクトを通して接続されていても構わない。空調装置内を所定の時間加熱したのち風路切替え器により排気口を開け熱風を排気手段より外部へ放出する。その結果防カビ制御運転直後の熱い空気を室内に送らなくて済むため居住者の快適性が向上する。
【００３１】
次に図３に本発明の加熱手段６の空調装置内での設置の一例を示す。図３は送風ファン１の斜視図である。ここでは空調装置でよく用いられる、クロスフローファンを示している。加熱手段６は送風ファン１の軸心部分に設置されている。ファンの軸心部分に設置することで送風ファンを容易に４０℃以上に加熱することができエネルギー消費を少なくすることができるので最適である。
【００３２】
図４は図２に示した空調装置の防カビ運転についての制御フローチャートである。本防カビ運転はカビの発生が予想される時期、すなわち冷房運転を使用する時期に通常使用する。冷房運転時のエアコン室内機内は、空気中の水分が結露するため多湿状態となっておりカビの生長に適した条件となっている。また除湿運転時は室内空気を露点以下に下げて空気中から水分を除去することで除湿を実現している。したがって第４図に示したフローチャートは除湿運転時にも同様に使用することができる。
【００３３】
本防カビ運転は、通常運転時にはタイマーを動作させているのみで加熱手段への通電は行わない。1日１回タイマで設定した時間になると送風ファンを停止するとともに防カビ手段の前面窓を閉鎖し、続いて加熱手段へ通電を開始する。タイマの設定は使用者が手動行っても構わないし、ネットワークを介して設備会社等エアコン保守担当者が遠隔操作しても構わないが１日に１回以上の加熱が必要である。１日に１回の加熱ができない場合はカビの生長を停止させることができず、本発明の効果を実現できない。
【００３４】
次に送風ファン近傍の温度センサからの温度情報をもとに設定温度の４０℃になるように加熱手段へ通電する電流をコントロールする。４０℃まで到達するのに要する時間は特に指定しないが冷房時に運転を停止することからできる限り短時間で４０℃に到達させるべきである。送風ファン近傍が４０℃に達した瞬間からタイマにより１０分間計測し、送風ファン近傍のカビの生長を抑制する。そして次のステップで加熱を停止し風路を排気に切替えて送風ファンを運転して４０℃の空気を室外へ排出する。２分後にファンを停止し排気風路を閉じて冷房運転を開始し防カビ手段の前面窓を開放する。
【図面の簡単な説明】
【００３５】
【図１】本発明によるカビ生長を抑制する空調装置の一実施例の室内機断面図
【図２】本発明によるカビ生長を抑制する空調装置の別の実施例の室内機断面図
【図３】本発明によるカビ生長を抑制する空調装置の送風ファンの内部に加熱手段を設置した一実施例の断面図
【図４】本発明によるカビ生長を抑制する空調装置の防カビ運転についての制御フローチャート
【符号の説明】
【００３６】
１  送風ファン
２  吸入グリル
３  熱交換器
４  吹出しルーバ
５  温度センサ
６  加熱手段
７  タイマー
８  防カビ手段
９  開閉可能な窓
１０  排気手段
【図１】
2005061741.tif 000003
【図２】
2005061741.tif 000004
【図３】
2005061741.tif 000005
【図４】
2005061741.tif 000006